(57)【要約】【課題】情報保存装置用のディスクスペーサ，及びそれを備えたスピンドルモータ組立体を提供する。【解決手段】スピンドルモータと，スピンドルモータに装着された少なくとも一つのデータ保存用のディスクと，スピンドルモータに結合されてディスクを固定させるディスククランプと，スピンドルモータに装着されてディスクを支持するディスクスペーサと，備え，ディスクスペーサのディスクと接触していない外周面に沿って所定深さの溝が形成され，溝は，ディスクスペーサの外周面から内周面の方へ行くほどその幅が狭くなる形状を有するスピンドルモータ組立体である。これにより，ディスクに伝達される衝撃及び振動がディスクスペーサで散乱されるので，衝撃及び振動により誘発されるディスクの振れが減る。【選択図】図４
2005339785.tif 000002
【特許請求の範囲】
【請求項１】
情報保存装置用のディスクスペーサにおいて，
前記ディスクスペーサの前記ディスクと接触していない外周面に沿って所定深さの溝が形成され，前記溝は，前記ディスクスペーサの外周面から内周面の方へ行くほどその幅が狭くなる形状を有したことを特徴とする，ディスクスペーサ。
【請求項２】
前記溝は，三角形の断面を有するように形成されたことを特徴とする，請求項１に記載のディスクスペーサ。
【請求項３】
前記溝の内面は，曲面に形成されたことを特徴とする，請求項１に記載のディスクスペーサ。
【請求項４】
前記溝は，半円形の断面を有するように形成されたことを特徴とする，請求項３に記載のディスクスペーサ。
【請求項５】
スピンドルモータに装着されて，少なくとも一つのデータ保存用のディスクを支持することを特徴とする，請求項１に記載のディスクスペーサ。
【請求項６】
前記少なくとも一つのデータ保存用のディスクは，ハードディスクであることを特徴とする，請求項５に記載のディスクスペーサ。
【請求項７】
スピンドルモータと，前記スピンドルモータに装着された少なくとも一つのデータ保存用のディスクと，前記スピンドルモータに結合されて前記ディスクを固定させるディスククランプと，前記スピンドルモータに装着されて前記ディスクを支持するディスクスペーサと，を備える情報保存装置用のスピンドルモータ組立体において，
前記ディスクスペーサの前記ディスクと接触していない外周面に沿って所定深さの溝が形成され，前記溝は，前記ディスクスペーサの外周面から内周面の方へ行くほどその幅が狭くなる形状を有したことを特徴とする，スピンドルモータ組立体。
【請求項８】
前記溝は，三角形の断面を有するように形成されたことを特徴とする，請求項７に記載のスピンドルモータ組立体。
【請求項９】
前記溝の内面は，曲面から形成されたことを特徴とする，請求項７に記載のスピンドルモータ組立体。
【請求項１０】
前記溝は，半円形の形状を有するように形成されたことを特徴とする，請求項９に記載のスピンドルモータ組立体。
【請求項１１】
前記少なくとも一つのデータ保存用のディスクは，ハードディスクであることを特徴とする，請求項７に記載のスピンドルモータ組立体。
【発明の詳細な説明】
【技術分野】
【０００１】
本発明は，情報保存装置に関する技術であり，特に，情報保存用のディスク間の間隔を維持するために，ディスクの間に配置される情報保存装置用のディスクスペーサ，及びそれを備えたスピンドルモータ組立体に関する。
【背景技術】
【０００２】
ハードディスクドライブ（Ｈａｒｄ Ｄｉｓｋ Ｄｒｉｖｅ：ＨＤＤ）及び光ディスクドライブ（Ｏｐｔｉｃａｌ Ｄｉｓｋ Ｄｒｉｖｅ：ＯＤＤ）のようなコンピュータの情報保存装置は，スピンドルモータに装着されて回転するディスクにデータを記録したり，またはそのディスクに記録されたデータを再生したりする装置である。
【０００３】
図１には，従来のＨＤＤの概略的な構造が示されている。
【０００４】
図１に示すように，ＨＤＤのベース部材１１には，データ保存のための記録媒体であるディスク２１，２２を回転させるためのスピンドルモータ３０，及びデータの再生及び記録のための読み取り／書き込みヘッドをディスク２１，２２上の所望の位置に移動させるアクチュエータ４０が設置される。
【０００５】
前記スピンドルモータ３０は，ベース部材１１に設置される。前記スピンドルモータ３０には，図１に示すように，二つのディスク２１，２２が装着されることもあり，一枚または三枚以上のディスクが装着されることもある。前記スピンドルモータ３０に複数のディスク２１，２２が装着される場合には，このディスク２１，２２の間の間隔を維持するためのリング状のスペーサ５０が，ディスク２１，２２の間に配置される。そして，スピンドルモータ３０の上端部には，ディスク２１，２２をスピンドルモータ３０に堅固に固定させるためのクランプ６０がスクリュー７０により締結される。
【０００６】
前記アクチュエータ４０は，ベース部材１１に設置されたピボット４１に回転可能に結合されたスイングアーム４２と，スイングアーム４２の一側端部に設置されて，前記ヘッドが搭載されたスライダーをディスク２１，２２の表面側に付勢させて支持するサスペンション４３と，スイングアーム４２を回転させるためのボイスコイルモータ（Ｖｏｉｃｅ
Ｃｏｉｌ Ｍｏｔｏｒ：ＶＣＭ）４５と，を有する。
【０００７】
前記ＶＣＭ４５は，サーボ制御システムにより制御され，ＶＣＭのコイルに入力される電流とマグネットにより形成された磁場の相互作用により，フレミングの左手法則による方向にスイングアーム４２を回転させる。すなわち，ディスクドライブの電源がオンになってディスク２１，２２が回転し始めると，ＶＣＭ４５は，スイングアーム４２を逆時計回り方向に回転させて，前記ヘッドをディスク２１，２２の記録面上に移動させる。逆に，ディスクドライブの電源がオフになってディスク２１，２２の回転が停止すれば，ＶＣＭ４５は，スイングアーム４２を時計回り方向に回転させて，前記ヘッドがディスク２１，２２の記録面から離れるようにする。この際，ディスク２１，２２の記録面から離れたヘッドは，ディスク２１，２２の外側に設けられたランプ４６にパーキングされる。
【０００８】
そして，前記ベース部材１１の上部には，カバー部材１２が複数のスクリュー１９を使用して結合される。このように互いに結合されたベース部材１１とカバー部材１２とは，ディスク２１，２２，スピンドルモータ３０及びアクチュエータ４０などを包んで保護する役割を行う。
【０００９】
以下では，図２を参照して，前記スピンドルモータ３０，ディスク２１，２２，スペーサ５０及びクランプ６０の結合構造をさらに詳細に説明する。
【００１０】
図２に示すように，スピンドルモータ３０は，ベース部材１１に固設されたシャフト３１，シャフト３１の外周に結合された固定子３３及び回転子３４を有している。前記回転子３４は，ハブとも呼ばれ，このハブ３４の外周にデータ保存用のディスク２１，２２が挟まれる。前述したように，スピンドルモータ３０に複数のディスク２１，２２が装着される場合には，ディスク２１，２２の間の間隔を維持するためのリング状のスペーサ５０がディスク２１，２２の間に配置されるように，ハブ３４の外周に挟まれる。そして，ディスク２１，２２を固定させるためのクランプ６０は，スクリュー７０を使用して，前記シャフト３１の上端部に締結される。
【００１１】
このような構成を有したＨＤＤにおいて，データの記録及び再生は，高速回転するディスク２１，２２上に非常に狭い間隔を維持したままで浮き上がっている読み取り／書き込みヘッドにより行われる。しかし，ＨＤＤに衝撃が加えられた場合，この衝撃は，ベース部材１１からスピンドルモータ３０のシャフト３１，スクリュー７０，クランプ６０，及びスペーサ５０を通じてディスク２１，２２に伝達される。そして，スピンドルモータ３０の回転による振動も，シャフト３１，スクリュー７０，クランプ６０，及びスペーサ５０を通じてディスク２１，２２に伝達される。このようにディスク２１，２２に伝達された衝撃や振動は，ディスク２１，２２の振れを誘発し，これにより，ディスク２１，２２の表面とヘッドとが衝突して，ディスク２１，２２の表面とヘッドとが損傷されるという問題点が発生する。また，ディスク２１，２２の振れは，前記ヘッドの読み取り／書き込み性能を低下させるという問題点も発生させる。
【００１２】
特に，従来のＨＤＤにおいて，ディスク２１，２２の間に配置されたスペーサ５０は，矩形の断面を有するので，クランプ６０から上部ディスク２２に伝達された衝撃や振動は，図２に矢印で表示したように，スペーサ５０を通じて，そのまま下部ディスク２１に伝達される。すなわち，従来の矩形の断面を有したディスクスペーサ５０は，衝撃や振動を緩和させる機能を有しなかった。
【００１３】
一方，図３には，特許文献１に開示された“コ”字状の断面構造を有したディスクスペーサが示されている。
【００１４】
図３に示すように，モータハブ８３の外周には，複数のディスク８１，８２，スペーサ８５及びクランプリング８４が装着されている。前記クランプリング８４は，ハブ８３の外周面に形成された溝部８７に挟まれるようになっている。そして，前記スペーサ８５の外周面には，溝８６が形成されており，この溝８６の断面形状は，矩形からなっている。したがって，前記スペーサ８５は，“コ”字状の断面を有する。
【００１５】
このような従来のスペーサ８５によれば，スペーサ８５の溝８６の上部分及び下部分が，スプリング役割を行って，クランプリング８４によりディスク８１，８２に加えられる圧力が，ディスク８１，８２に均一に分布されるという長所がある。しかし，スピンドルモータに衝撃や振動が加えられたとき，衝撃や振動がスペーサ８５の溝８６の上部分により反射されて，再び上部ディスク８２に影響を与える。
【００１６】
例えば，同一な条件で衝撃によるディスクの振れをシミュレーションした結果，ディスクの間に図２に示したスペーサが配置された場合には，衝撃によるディスクの縁部の最大変位は，約１．０μｍと表し，ディスクの間に図３に示したスペーサが配置された場合には，衝撃によるディスクの縁部の最大変位は，約１．０６μｍと表した。このように，図３に示した“コ”字状の断面を有したスペーサは，衝撃や振動によるディスクの振れを緩和させる作用を行えないということが分かる。
【００１７】
【特許文献１】特開平９−１１５２１６号公報
【発明の開示】
【発明が解決しようとする課題】
【００１８】
本発明の目的は，前記問題点を解決するためのものであって，特にディスクに伝達される衝撃及び振動を緩和させて，ディスクの振れを減少できる形状を有したディスクスペーサ，及びそれを備えたスピンドルモータ組立体を提供するところにある。
【課題を解決するための手段】
【００１９】
前記課題を解決するために，本発明は，情報保存装置用のディスクスペーサにおいて，前記ディスクスペーサの前記ディスクと接触していない外周面に沿って所定深さの溝が形成され，前記溝は，前記ディスクスペーサの外周面から内周面の方へ行くほどその幅が狭くなる形状を有したことを特徴とする情報保存装置用のディスクスペーサを提供する。
【００２０】
本発明において，前記溝は，三角形の断面を有するように形成できる。
【００２１】
一方，前記溝の内面は，曲面から形成してもよく，この場合，前記溝は，半円形の断面を有するように形成することができる。
【００２２】
前記ディスクスペーサは，スピンドルモータに装着されて，少なくとも一つのデータ保存用のディスクを支持でき，前記少なくとも一つのデータ保存用のディスクは，例えば，ハードディスクである。
【００２３】
そして，前記課題を解決するために，本発明は，スピンドルモータと，前記スピンドルモータに装着された少なくとも一つのデータ保存用のディスクと，前記スピンドルモータに結合されて前記ディスクを固定させるディスククランプと，前記スピンドルモータに装着されて前記ディスクを支持するディスクスペーサと，を備える情報保存装置用のスピンドルモータ組立体において，前記ディスクスペーサの前記ディスクと接触していない外周面に沿って所定深さの溝が形成され，前記溝は，前記ディスクスペーサの外周面から内周面の方へ行くほどその幅が狭くなる形状を有したことを特徴とする情報保存装置用のスピンドルモータ組立体を提供する。
【発明の効果】
【００２４】
本発明によれば，ディスクに伝達される衝撃及び振動がディスクスペーサで散乱されることによって，衝撃及び振動により誘発されるディスクの振れが減り，これにより，ディスクの振れによるディスクとヘッドとの衝突及びヘッドの性能低下が防止される。
【発明を実施するための最良の形態】
【００２５】
以下，添付された図面を参照して，本発明による情報保存装置用のディスクスペーサの望ましい実施形態を詳細に説明する。以下の図面で，同じ参照符号は同じ構成要素を示す。
【００２６】
（第１実施形態）
図４は，本発明の第１実施形態によるディスクスペーサを備えたＨＤＤを示す分解斜視図であり，図５は，図４に示した本発明の第１実施形態によるスペーサが装着されたスピンドルモータ組立体の垂直断面図である。
【００２７】
図４及び図５に示すように，情報保存装置，例えばＨＤＤには，ベース部材１１１，カバー部材１１２，データ保存媒体である少なくとも一つのディスク１２１，１２２を有したスピンドルモータ組立体，及びアクチュエータ１４０が備えられる。
【００２８】
前記ベース部材１１１は，通常的に，アルミニウムまたはアルミニウム合金からなり，ダイキャスティングにより製造されることができる。このようなベース部材１１１の上面側には，スピンドルモータ組立体及びアクチュエータ１４０などを収容するための空間が形成される。
【００２９】
前記カバー部材１１２は，ベース部材１１１の上部に組み立てられ，前記ディスク１２１，１２２，スピンドルモータ１３０及びアクチュエータ１４０などを包んで保護する役割と共に，ディスクドライブの内部へのホコリや湿気の流入を防止し，ディスクドライブの内部で発生したノイズの外部への伝播を遮断する役割を行う。
【００３０】
前記スピンドルモータ組立体は，スピンドルモータ１３０，前記ディスク１２１，１２２，ディスククランプ１６０，及びディスクスペーサ１５０を備える。
【００３１】
前記スピンドルモータ１３０は，前記ディスク１２１，１２２を回転させるためのものであって，前記ベース部材１１１上に設置される。前記スピンドルモータ１３０は，ベース部材１１１に固設されたシャフト１３１，前記シャフト１３１の外周に結合された固定子１３３，及び前記固定子１３３の外側に配置された回転子，すなわちハブ１３４を有している。前記ハブ１３４の外周に少なくとも一つの，例えば二つのディスク１２１，１２２が挟まれる。一方，前記スピンドルモータ１３０には，示したように，二つのディスク１２１，１２２が装着されることもあり，一つまたは三つ以上のディスクが装着されることもある。
【００３２】
前記ディスククランプ１６０は，前記ディスク１２１，１２２をスピンドルモータ１３０のハブ１３４に堅固に固定させるためのものであって，クランプ締結スクリュー１７０により前記スピンドルモータ１３０の上端部，例えばシャフト１３１の上端部に結合されて前記ディスク１２１，１２２を垂直方向に加圧する。
【００３３】
前記ディスクスペーサ１５０は，前記スピンドルモータ１３０のハブ１３４の外周に装着されて，前記ディスク１２１，１２２を支持する役割を行う。具体的に，前記したように，スピンドルモータ１３０のハブ１３４に複数のディスク１２１，１２２が装着された場合には，前記スペーサ１５０は，前記ディスク１２１，１２２の間に配置されて，それらの間の間隔を維持させる役割を行う。
【００３４】
本実施形態において，前記ディスクスペーサ１５０は，リング状を有し，前記ディスク１２１，１２２と接触していない外周面には，所定深さの溝１５２が形成される。前記溝１５２は，ディスクスペーサ１５０の外周面に沿って形成され，ディスクスペーサ１５０の外周面から内周面の方へ行くほどその幅が狭くなる。例えば，前記溝１５２は，三角形の断面を有することができる。
【００３５】
このように，その外周面に三角形の断面を有した溝１５２が形成されたディスクスペーサ１５０が，スピンドルモータ１３０のハブ１３４の外周に装着された場合には，外部からの衝撃やスピンドルモータ１３０の回転による振動が，ベース部材１１１，シャフト１３１，クランプ１６０及びディスクスペーサ１５０を経てディスク１２１，１２２に伝達される過程で，ディスクスペーサ１５０により緩和されることができる。詳細に説明すれば，クランプ１６０を通じて上部ディスク１２２に伝達された衝撃や振動の一部は，図５に矢印で表示したように，ディスクスペーサ１５０で三角形の溝１５２によりスペーサ１５０の内周側に，すなわちハブ１３４側に散乱される。したがって，ディスクスペーサ１５０に伝達された衝撃や振動は，前記溝１５２部位で上部ディスク１２２側への反射，及び下部ディスク１２１側への直接的な伝播が抑制される。その結果，衝撃や振動によるディスク１２１，１２２の振れが減る。これについては，再び後述する。
【００３６】
前記アクチュエータ１４０は，データの記録及び再生のための読み取り／書き込みヘッドを，前記ディスク１２１，１２２上の所定位置に移動させるためのものであって，スイングアーム１４２，サスペンション１４３，及びＶＣＭ１４５を有する。前記スイングアーム１４２は，ベース部材１１１に設置されたピボット１４１に回転可能に結合される。前記サスペンション１４３は，スイングアーム１４２の先端部に結合されて，前記ヘッドが搭載されたスライダーをディスク１２１，１２２の表面側に付勢させて支持する。
【００３７】
前記ＶＣＭ１４５は，前記スイングアーム１４２を回転させるための駆動力を提供するものであって，サーボ制御システムにより制御され，ＶＣＭのコイルに入力される電流とマグネットにより形成された磁場の相互作用により，フレミングの左手法則による方向にスイングアーム１４２を回転させる。すなわち，ディスクドライブの電源がオンになってディスク１２１，１２２が回転し始まれば，ＶＣＭ１４５は，スイングアーム１４２を逆時計回り方向に回転させて，前記ヘッドをディスク１２１，１２２の記録面上に移動させる。逆に，ディスクドライブの電源がオフになってディスク１２１，１２２の回転が停止すれば，ＶＣＭ１４５は，スイングアーム１４２を時計回り方向に回転させて，前記ヘッドがディスク１２１，１２２から離れるようにする。この際，ディスク１２１，１２２の記録面から離れたヘッドは，ディスク１２１，１２２の外側に設けられたランプ１４６にパーキングされる。
【００３８】
（第２実施形態）
図６は，本発明の第２実施形態によるスペーサが装着されたスピンドルモータ組立体の垂直断面図である。本実施形態において，ディスクスペーサの外周面に形成された溝の断面形状を除いては，前述した第１実施形態と同一であるので，以下では，それらの差異点についてのみ説明する。
【００３９】
図６に示すように，スピンドルモータ１３０のハブ１３４の外周には，ディスク１２１，１２２を支持するディスクスペーサ２５０が装着されており，このディスクスペーサ２５０の外周面に沿って所定深さの溝２５２が形成されている。前記溝２５２は，ディスクスペーサ２５０の外周面から内周面の方へ行くほどその幅が狭くなる。本実施形態において，前記溝２５２の内面は，曲面からなる。望ましくは，前記溝２５２は，半円形の断面を有するように形成される。
【００４０】
このように，その外周面に半円形の断面を有した溝２５２が形成されたディスクスペーサ２５０が，スピンドルモータ１３０のハブ１３４の外周に装着された場合にも，前述した第１実施形態と同一な効果を得ることができる。すなわち，ディスクスペーサ２５０に伝達された衝撃や振動は，図６に矢印で表示したように，ディスクスペーサ２５０で半円形の溝２５２によりスペーサ２５０の内周側に散乱されるので，上部ディスク１２２側に反射されるか，または下部ディスク１２１側への伝達が抑制される。
【００４１】
（第３実施形態）
図７は，本発明の第３実施形態によるスペーサと一つのディスクとが装着されたスピンドルモータ組立体の垂直断面図である。本実施形態においては，スピンドルモータに一つのディスクが装着されるという点を除いては，前述した第１実施形態と同一である。
【００４２】
図７に示したように，スピンドルモータ１３０のハブ１３４の外周には，一つのディスク１２１のみが装着されることができる。この場合にも，前記ディスク１２１とクランプ１６０との間に，本実施形態によるスペーサ３５０を配置することができる。したがって，クランプ１６０による締結力が，スペーサ３５０を通じてディスク１２１に伝達される。この際，前記スペーサ３５０の高さは，前述した実施形態におけるスペーサ１５０，２５０の高さより上部ディスク１２２の厚さほど高い。そして，前記スペーサ３５０の外周面に沿って溝３５２が形成され，この溝３５２は，前述した第１実施形態のように，三角形の断面を有するように形成できる。一方，図示していないが，前記溝３５２は，前述した第２実施形態のように，半円形の断面を有するように形成できる。
【００４３】
このように，その外周面に三角形の断面を有した溝３５２が形成されたディスクスペーサ３５０が，クランプ１６０とディスク１２１との間に配置された場合にも，前述した第１及び第２実施形態と同一な効果を得ることができる。すなわち，クランプ１６０を通じてディスクスペーサ３５０に伝達された衝撃や振動は，図７に矢印で表示したように，ディスクスペーサ３５０で三角形の溝３５２によりスペーサ３５０の内周側に散乱されるので，衝撃や振動がディスクスペーサ３５０の底面に接触されたディスク１２１への直接伝達が抑制される。
【００４４】
図８Ａ及び図８Ｂは，それぞれ図２に示した従来のスペーサ，及び図５に示した本実施形態にかかるスペーサを有したスピンドルモータ組立体において，衝撃によるディスクの振れをシミュレーションした結果を示す写真である。
【００４５】
まず，図８Ａに示すように，ディスクの間に図２に示した従来の四角形断面を有したスペーサが配置された場合には，約１０００Ｇの衝撃によって発生するディスクの縁部の最大変位は，約１．０μｍであることが分かる。しかし，図８Ｂに示すように，ディスクの間に図５に示した本実施形態にかかるディスクスペーサが配置された場合には，約１０００Ｇの衝撃によって発生するディスクの縁部の最大変位は，約０．５３μｍであることが分かる。前記したように，本実施形態にかかるディスクスペーサは，ディスクに伝達される衝撃や振動を緩和させ，これにより，ディスクの振れがほぼ半分程に減少するという効果を有する。
【００４６】
以上で説明したように，本実施形態によれば，ディスクスペーサの外周面に三角形または半円形の断面を有した溝が形成されることによって，ディスクに伝達される衝撃及び振動がディスクスペーサで散乱される。したがって，このような衝撃及び振動により誘発されるディスクの振れが減るので，ディスクの振れによるディスクとヘッドとの衝突及びヘッドの性能低下が防止される。
【００４７】
本発明は，図面に示した実施形態を参考として説明されたが，これは，例示的なものに過ぎず，当業者であれば，これから多様な変形及び均等な他の実施形態が可能であるという点を理解できるであろう。したがって，本発明の真の技術的保護範囲は，特許請求の範囲により決まらねばならない。
【産業上の利用可能性】
【００４８】
本発明は，ディスクに伝達される衝撃及び振動を緩和させて，ディスクの振れを減少できる形状を有したディスクスペーサ，及びそれを備えたスピンドルモータ組立体に利用できる。
【図面の簡単な説明】
【００４９】
【図１】従来のＨＤＤの構造を示した斜視図である。
【図２】図１に示したスピンドルモータ，ディスク，スペーサ及びクランプの結合構造を示す断面図である。
【図３】“コ”字状の断面構造を有した従来のスペーサを示す断面図である。
【図４】本発明の第１実施形態によるディスクスペーサを備えたＨＤＤを示す斜視図である。
【図５】図４に示した本発明の第１実施形態によるスペーサが装着されたスピンドルモータ組立体の断面図である。
【図６】本発明の第２実施形態によるスペーサが装着されたスピンドルモータ組立体の断面図である。
【図７】本発明の第３実施形態によるスペーサと一つのディスクとが装着されたスピンドルモータ組立体の断面図である。
【図８Ａ】図２に示した従来のスペーサを有したスピンドルモータ組立体において，衝撃によるディスクの振れをシミュレーションした結果を写真で示す説明図である。
【図８Ｂ】図５に示した本発明によるスペーサを有したスピンドルモータ組立体において，衝撃によるディスクの振れをシミュレーションした結果を写真で示す説明図である。
【符号の説明】
【００５０】
１１１  ベース部材
１１２  カバー部材
１２１，１２２  ディスク
１３０  スピンドルモータ
１３１  シャフト
１３４  ハブ
１４０  アクチュエータ
１４１  ピボット
１４２  スイングアーム
１４３  サスペンション
１４５  ＶＣＭ
１４６  ランプ
１５０  ディスクスペーサ
１６０  ディスククランプ
１７０  クランプ締結スクリュー
【図１】
2005339785.tif 000003
【図２】
2005339785.tif 000004
【図３】
2005339785.tif 000005
【図４】
2005339785.tif 000006
【図５】
2005339785.tif 000007
【図６】
2005339785.tif 000008
【図７】
2005339785.tif 000009
【図８Ａ】
2005339785.tif 000010
【図８Ｂ】
2005339785.tif 000011